【事件の表示】
　特願２０１５−　２１４８５号「遊技機および遊技用装置」拒絶査定不服審判事件〔平成２８年　８月　８日出願公開、特開２０１６−１４０７２１号〕について、次のとおり審決する。
【結　論】
　本件審判の請求は、成り立たない。
【理　由】
第１　手続の経緯
　本願は、平成２７年２月５日の出願であって、平成２９年２月２３日付けで拒絶の理由が通知され、同年４月１７日に意見書及び手続補正書が提出され、同年５月１１日付けで最後の拒絶の理由の通知がなされ、同年５月３１日に意見書及び手続補正書が提出され、同年７月２７日付けで最後の拒絶の理由の通知がなされ、同年９月１９日に意見書及び手続補正書が提出されたところ、同年１０月２６日付けで、同年９月１９日になされた手続補正が却下されるとともに拒絶査定がなされ、これに対し、同年１２月２２日に拒絶査定不服審判の請求がなされると同時に手続補正書が提出され、平成３０年２月８日に上申書の提出がなされたものである。
　
　
第２　平成２９年１２月２２日付けの手続補正についての補正の却下の決定
　
［補正の却下の決定の結論］
　平成２９年１２月２２日付けの手続補正（以下、「本件補正」という。）を却下する。
　
［理由］
１　補正の内容
　本件補正により、平成２９年５月３１日付け手続補正書の特許請求の範囲の請求項１における
「【請求項１】
　遊技を行う遊技機であって、
　赤の光を発する第１発光素子と緑の光を発する第２発光素子と青の光を発する第３発光素子とがそれぞれを頂点に三角形を形成するように配置されている複数の発光手段と、
　発光素子の種類に応じて直列に接続される抵抗素子と、
　前記発光手段の発光を制御する発光制御手段とを備え、
　前記発光手段は、一の発光手段の発光素子の配置と他の発光手段の発光素子の配置とが同じとなるように実装され、
　複数の前記発光手段は、１つの演出装置を構成する部材に対して発光を行い、
　前記発光制御手段は、複数の前記発光手段を接続することができる複数の接続端子を有し、
　複数の前記接続端子のうち前記発光手段を接続する各々の前記接続端子には、同数の前記発光手段が直列に接続されている、遊技機。」
は、審判請求時に提出された平成２９年１２月２２日付け手続補正書の特許請求の範囲の請求項１における、
「【請求項１】
　遊技を行う遊技機であって、
　赤の光を発する第１発光素子と緑の光を発する第２発光素子と青の光を発する第３発光素子とがそれぞれを頂点に三角形を形成するように配置されている複数の発光手段と、
　発光素子の種類に応じて直列に接続される抵抗素子と、
　前記発光手段の発光を制御する発光制御手段とを備え、
　前記発光手段は、一の発光手段の発光素子の配置と他の発光手段の発光素子の配置とが同じとなるように実装され、
　複数の前記発光手段は、１つの演出装置を構成する部材に対して発光を行い、
　
前記演出装置を構成する部材は可動し、
　前記発光制御手段は、複数の前記発光手段を接続することができる複数の接続端子を有し、
　複数の前記接続端子のうち前記発光手段を接続する各々の前記接続端子には、同数の前記発光手段が直列に
のみ
に補正がなされた（下線は、補正箇所を明示するために当審にて付した。）。
　
　上記補正は、
（１）補正前の特許請求の範囲の請求項１に記載した発明を特定するために必要な事項である「演出装置を構成する部材」について、「可動」するものに限定し、
（２）補正前の特許請求の範囲の請求項１に記載した発明を特定するために必要な事項である「複数の前記接続端子のうち前記発光手段を接続する各々の前記接続端子」について、「同数の前記発光手段が直列に接続」されているとの事項を、「同数の前記発光手段が直列にのみ接続」されているものに限定したものである。
　
　さらに、本件補正前の特許請求の範囲の請求項１に記載された発明と本件補正後の特許請求の範囲の請求項１に記載される発明の産業上の利用分野及び解決しようとする課題が同一であるので、上記補正は特許法第１７条の２第５項第２号に掲げる特許請求の範囲の減縮を目的とするものに該当する。
　
　そして、本件補正は　この補正は、本願の願書に最初に添付した明細書の【００９１】、【０１０５】、同図面の図７、図１０等に基づいたものであり、新規事項を追加するものではない。
　
２　独立特許要件について
　そこで、本件補正後の特許請求の範囲の請求項１に係る発明は、平成２９年１２月２２日付け手続補正書により補正された特許請求の範囲の請求項１に記載された事項により特定されるものと認められるところ、その請求項１に係る発明（以下、「本願補正発明」という。）が特許出願の際独立して特許を受けることができるものであるか（特許法第１７条の２第６項において準用する同法第１２６条第７項の規定に適合するか）について、以下に検討する。
　
（１）　本願補正発明 
　本願補正発明は、上記１　の補正の内容において示した次のとおりのものである（Ａ〜Ｊは、当審にて分説して付与した。）。  
　
（本願補正発明）
「【請求項１】
Ａ　遊技を行う遊技機であって、
Ｂ　赤の光を発する第１発光素子と緑の光を発する第２発光素子と青の光を発する第３発光素子とがそれぞれを頂点に三角形を形成するように配置されている複数の発光手段と、
Ｃ　発光素子の種類に応じて直列に接続される抵抗素子と、
Ｄ　前記発光手段の発光を制御する発光制御手段とを備え、
Ｅ　前記発光手段は、一の発光手段の発光素子の配置と他の発光手段の発光素子の配置とが同じとなるように実装され、
Ｆ　複数の前記発光手段は、１つの演出装置を構成する部材に対して発光を行い、
Ｇ　前記演出装置を構成する部材は可動し、
Ｈ　前記発光制御手段は、複数の前記発光手段を接続することができる複数の接続端子を有し、
Ｉ　複数の前記接続端子のうち前記発光手段を接続する各々の前記接続端子には、同数の前記発光手段が直列にのみ接続されている、
Ｊ　遊技機。」
　
（２）引用文献に記載された事項
ア　引用文献１
　これに対して、原査定の拒絶の理由に引用され、本願の出願前に頒布された国際公開第２００８／０９６５３５号（以下、「引用文献１」という。）には、「遊技機」の発明に関し、図面と共に以下の事項が記載されている（下線は当審で付した。）。
（ア）
「［０００１］　本発明は、液晶表示等の演出用の画像表示装置を備える
パチンコ遊技機や回胴式遊技機等の遊技機
　
（イ）
「［００１６］　・・・ここでは、遊技機が、いわゆるパチスロ機といわれる回胴式遊技機である場合について説明する。
［００１７］　・・・具体的には、本実施形態の回胴式遊技機１は、・・・
演出制御基板８０と、サブ中継基板９０とを備え
　
（ウ）
「［００６７］　次に、タイプ２の
遊技機に搭載される
発光体基板１００
演出制御基板８０は、
所定の複数の点灯制御信号を生成し、サブ中継基板９０を介して発光体基板１００に転送する
複数の点灯制御信号は、発光体基板１００に搭載されたＬＥＤの点灯を制御する
［００６８］　図７は、本実施形態の液晶表示装置（画像表示部３０）が収納される収納部に、液晶表示装置に換えて収納される発光体基板１００における各コネクタの端子間の配線接続状態を示す概略配線図である。本実施形態の
発光体基板１００は
表示灯駆動回路１０１，１０２
合計１８個の３色発光のカラー用ＬＥＤ（ＬＥＤ１〜ＬＥＤ１８）とを備えている
［００６９］　
表示灯駆動回路１０１，１０２は、演出制御基板８０からサブ中継基板９０を介して送られる複数の点灯制御信号に基づいてＬＥＤを点灯するための所定電圧の複数の駆動信号を生成する
各カラー用ＬＥＤ１〜１８は、赤色（単色）発光のＬＥＤ、緑色（単色）発光のＬＥＤ及び青色（単色）発光のＬＥＤの組から構成され
カラー用ＬＥＤ１〜１８は、発光体基板１００に等間隔で配列され
　
（エ）
「［００７３］　本実施形態の発光体基板１００に搭載されている
３色発光のカラー用ＬＥＤ１〜１８については、６個のカラー用ＬＥＤを制御単位とし、
３色発光のカラー用ＬＥＤ１〜１８は３ブロックに分けられ
カラー用ＬＥＤ１〜６を第一ブロック、カラー用ＬＥＤ７〜１２を第二ブロック、そして、カラー用ＬＥＤ１３〜１８を第三ブロックとする
［００７４］　実際、
各ブロックに属する６個のカラー用ＬＥＤは、２個のカラー用ＬＥＤを一組として三つの組に分けられ
第一ブロックでは、カラー用ＬＥＤ１とカラー用ＬＥＤ２、カラー用ＬＥＤ３とカラー用ＬＥＤ４、カラー用ＬＥＤ５とカラー用ＬＥＤ６という三つの組に分けられ、第二ブロックでは、カラー用ＬＥＤ７とカラー用ＬＥＤ８、カラー用ＬＥＤ９とカラー用ＬＥＤ１０、カラー用ＬＥＤ１１とカラー用ＬＥＤ１２という三つの組に分けられ、
第三ブロックでは、カラー用ＬＥＤ１３とカラー用ＬＥＤ１４、カラー用ＬＥＤ１５とカラー用ＬＥＤ１６、カラー用ＬＥＤ１７とカラー用ＬＥＤ１８という三つの組に分けられ
各ブロックにおいては、当該ブロックに属する６個のカラー用ＬＥＤに含まれる合計１８個のＬＥＤ（６個の赤色発光のＬＥＤ、６個の緑色発光のＬＥＤ、６個の青色発光のＬＥＤ）に対し、同じ発光色のＬＥＤ同士を接続し
各ブロックに属するそれぞれの発光色のＬＥＤについて、同じ組に属する二つの当該発光色のＬＥＤを直列に接続すると共に異なる組に属する当該発光色のＬＥＤを並列に接続し
［００７５］　本実施形態の発光体基板１００に搭載されている３色発光のカラー用ＬＥＤ１〜１８（それらに含まれる合計５４個の単色発光のＬＥＤ）は、コネクタＣＮ１０の各端子１〜９に分散して接続されている。具体的に、コネクタＣＮ１０の端子１〜６はそれぞれ、表示灯駆動回路１０１の端子１〜６に接続され、コネクタＣＮ１０の端子７〜９はそれぞれ、表示灯駆動回路１０２の端子１〜３に接続されている。そして、コネクタＣＮ１０の端子１〜６から表示灯駆動回路１０１の端子１〜６に入力した点灯制御信号（表示パネルＬＥＤデータ０〜５）はそれぞれ、表示灯駆動回路１０１の端子１８〜１３から出力され、コネクタＣＮ１０の端子７〜９から表示灯駆動回路１０２の端子１〜３に入力した点灯制御信号（表示パネルＬＥＤデータ６〜８）はそれぞれ、表示灯駆動回路１０２の端子１８〜１６から出力される。
表示灯駆動回路１０１の端子１８は、第一ブロックに含まれる６個の緑色発光のＬＥＤに接続され、表示灯駆動回路１０１の端子１７は、第一ブロックに含まれる６個の赤色発光のＬＥＤに接続され、そして、表示灯駆動回路１０１の端子１６は、第一ブロックに含まれる６個の青色発光のＬＥＤに接続され
表示灯駆動回路１０１の端子１５は、第二ブロックに含まれる６個の緑色発光のＬＥＤに接続され、表示灯駆動回路１０１の端子１４は、第二ブロックに含まれる６個の赤色発光のＬＥＤに接続され、
表示灯駆動回路１０１の端子１３は、第二ブロックに含まれる６個の青色発光のＬＥＤに接続される。更に、表示灯駆動回路１０２の端子１８は、第三ブロックに含まれる６個の緑色発光のＬＥＤに接続され、表示灯駆動回路１０２の端子１７は、第三ブロックに含まれる６個の赤色発光のＬＥＤに接続され、
表示灯駆動回路１０２の端子１６は、第三ブロックに含まれる６個の青色発光のＬＥＤに接続され
［００７６］　したがって、コネクタＣＮ１０の端子１から供給される点灯制御信号である表示パネルＬＥＤデータ０により、表示灯駆動回路１０１を介して３色発光のカラー用ＬＥＤ１〜６に含まれる６個の緑色発光のＬＥＤの点灯が制御される。コネクタＣＮ１０の端子２から供給される点灯制御信号である表示パネルＬＥＤデータ１により、表示灯駆動回路１０１を介して３色発光のカラー用ＬＥＤ１〜６に含まれる６個の赤色発光のＬＥＤの点灯が制御される。そして、コネクタＣＮ１０の端子３から供給される点灯制御信号である表示パネルＬＥＤデータ２により、表示灯駆動回路１０１を介して３色発光のカラー用ＬＥＤ１〜６に含まれる６個の青色発光のＬＥＤの点灯が制御される。
［００７７］　また、コネクタＣＮ１０の端子４から供給される表示パネルＬＥＤデータ３により、表示灯駆動回路１０１を介して３色発光のカラー用ＬＥＤ７〜１２に含まれる６個の緑色発光のＬＥＤの点灯が制御され、コネクタＣＮ１０の端子５から供給される表示パネルＬＥＤデータ４により、表示灯駆動回路１０１を介して３色発光のカラー用ＬＥＤ７〜１２に含まれる６個の赤色発光のＬＥＤの点灯が制御され、そして、コネクタＣＮ１０の端子６から供給される表示パネルＬＥＤデータ５により、表示灯駆動回路１０１を介して３色発光のカラー用ＬＥＤ７〜１２に含まれる６個の青色発光のＬＥＤの点灯が制御される。更に、コネクタＣＮ１０の端子７から供給される表示パネルＬＥＤデータ６により、表示灯駆動回路１０２を介して３色発光のカラー用ＬＥＤ１３〜１８に含まれる６個の緑色発光のＬＥＤの点灯が制御され、コネクタＣＮ１０の端子８から供給される表示パネルＬＥＤデータ７により、表示灯駆動回路１０２を介して３色発光のカラー用ＬＥＤ１３〜１８に含まれる６個の赤色発光のＬＥＤの点灯が制御され、そして、コネクタＣＮ１０の端子９から供給される表示パネルＬＥＤデータ８により、表示灯駆動回路１０２を介して３色発光のカラー用ＬＥＤ１３〜１８に含まれる６個の青色発光のＬＥＤの点灯が制御される。
［００７８］　また、各組に属する
カラー用ＬＥＤにおいて同じ発光色の二つのＬＥＤと直列に接続されている抵抗Ｒ１〜２７
電流制限用の抵抗
　
（オ）
「［００８２］　図１０は、本実施形態の発光体基板の前面に配置される表示パネルの概略正面図である。液晶表示装置１１０に換えて発光体基板１００を配置したときには、その
発光体基板１００の前面に
表示パネル１４０が設けられ
表示パネル１４０は、透明又は半透明の樹脂等で形成され
・・・
［００８５］　次に、本実施形態の発光体基板１００を搭載した回胴式遊技機における演出制御の処理手順について説明する。発光体基板１００を搭載したタイプ２の遊技機が液晶表示装置１１０を搭載したタイプ１の遊技機と演出処理で異なる点は、液晶パネル３１での画像表示に換えて、表示パネル１４０での表示を行なう点である。その他の点はタイプ１の遊技機と同様である。この表示パネル１４０の裏面に配置された
発光体基板１００に実装された３色発光のカラー用ＬＥＤの緑、赤、青の各発光色のＬＥＤを調整することにより、任意の色の発光色の光で表示パネル１４０を照明する
・・・
［００８６］　次に、例えば液晶表示装置１１０（画像表示部３０）を搭載したタイプ（タイプ１）の遊技機を回収して、発光体基板１００を搭載したタイプ（タイプ２）の遊技機に変更する方法について説明する。図１等に示す液晶表示装置１１０を搭載したタイプ１の遊技機を、発光体基板１００を搭載したタイプ２に変更するには、先ず、液晶表示装置１１０とサブ中継基板９０とを接続している図示しないケーブルを取り外す。次に、サブ中継基板９０とサブ中継基板用ケース１２１を取り外す。最後に、液晶表示装置１１０を取り外す。次に、
発光体基板１００を取り付けた発光体基板ケース１３０を、取り外した液晶表示装置１１０の収納部に取り付け
表示パネル１４０を発光体基板１００の前面に取り付け
　
（カ）
「［００９５］　・・・したがって、本発明は、画像表示装置と発光体基板とを交換することができる
パチンコ遊技機や回胴式遊技機等の遊技機
　
（キ）
　図面の図７には、表示灯駆動回路１０１が、抵抗を介しての３色発光のカラー用ＬＥＤ１〜６を接続する端子１６〜１８、抵抗を介しての３色発光のカラー用ＬＥＤ７〜１２を接続する端子１３〜１５を備え、
　表示灯駆動回路１０２が、抵抗を介しての３色発光のカラー用ＬＥＤ１３〜１８を接続する端子１６〜１８を備えることが図示されている。
　
　そして、上記上記記載事項（ア）〜（カ）、及び図面に記載された事項（キ）を総合すると、引用文献１には、次の発明（以下、「引用発明」という。）が記載されていると認められる（ａ〜ｊは、本願補正発明のＡ〜Ｊに対応させて当審にて付与した。）。
　
（引用発明）　
「ａ　パチンコ遊技機や回胴式遊技機等の遊技機（上記（ア）の［０００１］、［００９５］参照。以下、括弧内に［　］を以て示す段落番号は、上記（ア）〜（カ）における、参照する引用箇所を示す。）であって、
　
ｂ　遊技機に搭載される、発光体基板１００は、合計１８個の３色発光のカラー用ＬＥＤ（ＬＥＤ１〜ＬＥＤ１８）とを備え（［００６７］、［００６８］）、各カラー用ＬＥＤ１〜１８は、赤色（単色）発光のＬＥＤ、緑色（単色）発光のＬＥＤ及び青色（単色）発光のＬＥＤの組から構成され（［００６９］）、
　
ｃ　カラー用ＬＥＤにおいて同じ発光色の二つのＬＥＤと直列に接続されている電流制限用の抵抗Ｒ１〜２７と（［００７８］）、
　
ｄ　演出制御基板８０と、サブ中継基板９０とを備え（［００１７］）、
　発光体基板１００は、表示灯駆動回路１０１，１０２を備え（［００６８］）、
　演出制御基板８０は、発光体基板１００に搭載されたＬＥＤの点灯を制御する所定の複数の点灯制御信号を生成し、サブ中継基板９０を介して発光体基板１００に転送し（［００６７］）、
　表示灯駆動回路１０１，１０２は、演出制御基板８０からサブ中継基板９０を介して送られる複数の点灯制御信号に基づいてＬＥＤを点灯するための所定電圧の複数の駆動信号を生成し（［００６９］）、
　
ｅ　各カラー用ＬＥＤ１〜１８は、赤色（単色）発光のＬＥＤ、緑色（単色）発光のＬＥＤ及び青色（単色）発光のＬＥＤの組から構成され、これら１８個のカラー用ＬＥＤ１〜１８は、発光体基板１００に等間隔で配列され（［００６９］）、
　
ｆ　発光体基板１００の前面に透明又は半透明の樹脂等で形成された表示パネル１４０が設けられ、［００８２］
　発光体基板１００に実装された３色発光のカラー用ＬＥＤの緑、赤、青の各発光色のＬＥＤを調整することにより、任意の色の発光色の光で表示パネル１４０を照明し［００８５］、
　
ｇ　表示パネル１４０は発光体基板１００の前面に取り付けられ（［００８６］）、
　発光体基板１００を取り付けた発光体基板ケース１３０は、取り外した液晶表示装置１１０の収納部に取り付けられ（［００８６］）、
　
ｈ　表示灯駆動回路１０１は、抵抗を介しての３色発光のカラー用ＬＥＤ１〜６を接続する端子１６〜１８、抵抗を介しての３色発光のカラー用ＬＥＤ７〜１２を接続する端子１３〜１５を備え、
　表示灯駆動回路１０２は、抵抗を介しての３色発光のカラー用ＬＥＤ１３〜１８を接続する端子１６〜１８を備え（上記（キ）の図７の図示事項を参照）、
　
ｉ
（ｉ１）　３色発光のカラー用ＬＥＤ１〜１８については、６個のカラー用ＬＥＤを制御単位とし、３色発光のカラー用ＬＥＤ１〜１８は３ブロックに分けられ、カラー用ＬＥＤ１〜６を第一ブロック、カラー用ＬＥＤ７〜１２を第二ブロック、そして、カラー用ＬＥＤ１３〜１８を第三ブロックとし（［００７３］）、
　
（ｉ２）　各ブロックに属する６個のカラー用ＬＥＤは、２個のカラー用ＬＥＤを一組として三つの組に分けられ、第一ブロックでは、カラー用ＬＥＤ１とカラー用ＬＥＤ２、カラー用ＬＥＤ３とカラー用ＬＥＤ４、カラー用ＬＥＤ５とカラー用ＬＥＤ６という三つの組に分けられ、第二ブロックでは、カラー用ＬＥＤ７とカラー用ＬＥＤ８、カラー用ＬＥＤ９とカラー用ＬＥＤ１０、カラー用ＬＥＤ１１とカラー用ＬＥＤ１２という三つの組に分けられ、第三ブロックでは、カラー用ＬＥＤ１３とカラー用ＬＥＤ１４、カラー用ＬＥＤ１５とカラー用ＬＥＤ１６、カラー用ＬＥＤ１７とカラー用ＬＥＤ１８という三つの組に分けられ、各ブロックにおいては、当該ブロックに属する６個のカラー用ＬＥＤに含まれる合計１８個のＬＥＤ（６個の赤色発光のＬＥＤ、６個の緑色発光のＬＥＤ、６個の青色発光のＬＥＤ）に対し、同じ発光色のＬＥＤ同士を接続し、各ブロックに属するそれぞれの発光色のＬＥＤについて、同じ組に属する二つの当該発光色のＬＥＤを直列に接続すると共に異なる組に属する当該発光色のＬＥＤを並列に接続し（［００７４］）、
　
（ｉ３）　表示灯駆動回路１０１の端子１８は、第一ブロックに含まれる６個の緑色発光のＬＥＤに接続され、表示灯駆動回路１０１の端子１７は、第一ブロックに含まれる６個の赤色発光のＬＥＤに接続され、そして、表示灯駆動回路１０１の端子１６は、第一ブロックに含まれる６個の青色発光のＬＥＤに接続され、表示灯駆動回路１０１の端子１５は、第二ブロックに含まれる６個の緑色発光のＬＥＤに接続され、表示灯駆動回路１０１の端子１４は、第二ブロックに含まれる６個の赤色発光のＬＥＤに接続され、表示灯駆動回路１０１の端子１３は、第二ブロックに含まれる６個の青色発光のＬＥＤに接続され、更に、表示灯駆動回路１０２の端子１８は、第三ブロックに含まれる６個の緑色発光のＬＥＤに接続され、表示灯駆動回路１０２の端子１７は、第三ブロックに含まれる６個の赤色発光のＬＥＤに接続され、表示灯駆動回路１０２の端子１６は、第三ブロックに含まれる６個の青色発光のＬＥＤに接続される（［００７５］）、
　
ｊ　遊技機（［０００１］、［００９５］）。」
　
（３）対比
　本願補正発明と引用発明とを、分説に従い対比する（対比の見出しとしての（ａ）〜（ｊ）は、引用発明の分説構成と対応させた。）。
　
（ａ）　引用発明における構成ａの「パチンコ遊技機や回胴式遊技機等の遊技機」は、遊技を行うためのものであることは明らかであって、本願補正発明の構成Ａの「遊技を行う遊技機」に相当する。
　してみると、引用発明における構成ａは、本願補正発明における構成Ａに相当する構成を備えているといえる。
　
（ｂ）引用発明の構成ｂの「３色発光のカラー用ＬＥＤ」は本願補正発明の構成Ｂの「発光手段」に相当するとともに、「３色発光のカラー用ＬＥＤ（ＬＥＤ１〜ＬＥＤ１８）」は本願補正発明の「複数の発光手段」に相当する。
　また、引用発明の構成ｂの「赤色（単色）発光のＬＥＤ」、「緑色（単色）発光のＬＥＤ」、「青色（単色）発光のＬＥＤ」、「組から構成」は、それぞれ本願補正発明の構成Ｂの「赤の光を発する第１発光素子」、「緑の光を発する第２発光素子」、「青の光を発する第３発光素子」、「配置されている」に相当する。
　してみると、引用発明における構成ｂは、本願補正発明における構成Ｂと、
「赤の光を発する第１発光素子と緑の光を発する第２発光素子と青の光を発する第３発光素子とが」「配置されている複数の発光手段」を備える点で共通するといえる。
　
（ｃ）対比に当たり、本願補正発明の構成Ｃの「発光素子の種類に応じて直列に接続される抵抗素子」とは、抵抗素子と「何」が「直列に接続される」のか、必ずしも明確ではない。
　そこで、本願の発明の詳細な説明をみてみると、明細書の【０１０４】には、
「トップ型白色ＬＥＤ１５０Ｆは、図６に示すように発光面において正三角の各頂点の位置に
赤（Red）、緑（Green）、青（Blue）のそれぞれの光を発する発光素子１５０Ｒ、１５０Ｇ、１５０Ｂ
と記載され、同【０１０６】には、
「さらに、ＬＥＤドライバ３５２の接続端子Ａ〜接続端子Ｃには、白色ＬＥＤ１５０Ｆと直列に白色ＬＥＤ１５０Ｆに流れる電流を制限する制限抵抗（抵抗Ｒ１〜Ｒ３）が接続されている。具体的に、図７に示す可動物
ＬＥＤ１５１の発光素子１５０Ｒ、１５０Ｇ、１５０Ｂのそれぞれに抵抗Ｒ１、抵抗Ｒ２、抵抗Ｒ３が直列に接続されている
発光素子１５０Ｒ、１５０Ｇ、１５０Ｂのそれぞれに抵抗Ｒ１、抵抗Ｒ２、抵抗Ｒ３が直列に接続されている
と記載されている。
　そうすると、
発光素子が
抵抗と直列に接続されていれば
　上記理解に基づいて、引用発明の構成ｃと、本願補正発明の構成Ｃを対比すると、引用発明の構成ｃの「電流制限用の抵抗Ｒ１〜２７」は、「同じ発光色の二つのＬＥＤと直列に接続」されているのだから、本願補正発明の構成Ｃの「発光素子の種類に応じて直列に接続される抵抗素子」に相当することは明らかである。
　してみると、引用発明における構成ｃは、本願補正発明における構成Ｃに相当する構成を備えているといえる。
　
（ｄ）引用発明の構成ｄの「演出制御基板８０」は、「発光体基板１００に搭載されたＬＥＤの点灯を制御する所定の複数の
点灯制御信号を生成
点灯制御信号に基づいて
駆動信号を生成
　してみると、引用発明における構成ｄは、本願補正発明における構成Ｄに相当する構成を備えているといえる。
　
（ｅ）引用発明の構成ｅの「カラー用ＬＥＤ１〜１８」が「発光体基板１００に等間隔で配列され」ることは、本願補正発明の構成Ｅの「発光手段」が「実装され」ることに相当する。
　してみると、引用発明における構成ｅは、本願補正発明における構成Ｅと、「発光手段は」「実装され」る点で共通するといえる。
　
（ｆ）引用発明の構成ｆの「表示パネル１４０」は、本願補正発明の構成Ｆの「１つの演出装置を構成する部材」に相当する。
　また、引用発明の構成ｆの「発光体基板１００に実装」された「３色発光のカラー用ＬＥＤ」（発光手段）が、複数であることは、引用発明の構成ｅから明らかであるから、引用発明の構成ｆの「３色発光のカラー用ＬＥＤ」（発光手段）が「緑、赤、青の各発光色のＬＥＤを調整することにより、任意の色の発光色の光で表示パネル１４０を照明」することは、本願補正発明の構成Ｆの「複数の前記発光手段」が「１つの演出装置を構成する部材に対して発光を行」うことに相当する。
　してみると、引用発明における構成ｆは、本願補正発明における構成Ｆに相当する構成を備えているといえる。
　
（ｈ）引用発明の構成ｈの「表示灯駆動回路１０１」、「表示灯駆動回路１０２」が、いずれも本願補正発明の「発光制御手段」に相当するものであることは、上記（ｄ）にて説示のとおりである。
　また、引用発明の構成ｈの表示灯駆動回路１０１の「端子１６〜１８」及び「端子１３〜１５」、表示灯駆動回路１０２の「端子１６〜１８」は、いずれも本願補正発明の構成Ｈの「複数の接続端子」に相当する。
　ここで、本願補正発明の構成Ｈの「発光制御手段は、複数の前記
発光手段を接続することができる
「さらに、
ＬＥＤドライバ３５２の接続端子Ａ〜接続端子Ｃには
制限抵抗（抵抗Ｒ１〜Ｒ３）が接続されている
発光素子１５０Ｒ、１５０Ｇ、１５０Ｂのそれぞれに抵抗Ｒ１、抵抗Ｒ２、抵抗Ｒ３が直列に接続されている
と記載されている。そうすると本願補正発明の構成Ｈの「発光制御手段は、
複数の前記発光手段を接続することができる
発光制御手段の複数の接続端子に
必ずしも直接複数の発光手段が接続されている必要はなく、両者の間に抵抗が介在してもよいと解するのが相当
　上記理解に基づいて、引用発明の構成ｈと、本願補正発明の構成Ｈをさらに対比すると、引用発明の構成ｈの「表示灯駆動回路１０１は」「抵抗を介しての３色発光のカラー用ＬＥＤ１〜６を接続する端子１６〜１８」「を備え」は、本願補正発明の構成Ｈの「発光制御手段は、複数の前記発光手段を接続することができる複数の接続端子を有し」に相当する。同様に引用発明の構成ｈの「表示灯駆動回路１０１は」「抵抗を介しての３色発光のカラー用ＬＥＤ７〜１２を接続する端子１３〜１５を備え」も本願補正発明の構成Ｈの「発光制御手段は、複数の前記発光手段を接続することができる複数の接続端子を有し」に相当するとともに、引用発明の構成ｈの「表示灯駆動回路１０２は、抵抗を介しての３色発光のカラー用ＬＥＤ１３〜１８を接続する端子１６〜１８を備え」もまた本願補正発明の構成Ｈの「発光制御手段は、複数の前記発光手段を接続することができる複数の接続端子を有し」に相当する。
　してみると、引用発明における構成ｈは、本願補正発明における構成Ｈに相当する構成を備えているといえる。
　
（ｉ）引用発明の構成ｉのうち構成（ｉ３）の
・「第一ブロックに含まれる６個の緑色発光のＬＥＤに接続され」る「表示灯駆動回路１０１の端子１８」、
・「第一ブロックに含まれる６個の赤色発光のＬＥＤに接続され」る「表示灯駆動回路１０１の端子１７」、
・「第一ブロックに含まれる６個の青色発光のＬＥＤに接続され」る「表示灯駆動回路１０１の端子１６」、
・「第二ブロックに含まれる６個の緑色発光のＬＥＤに接続され」る「表示灯駆動回路１０１の端子１５」、
・「第二ブロックに含まれる６個の赤色発光のＬＥＤに接続され」る「表示灯駆動回路１０１の端子１４」、
・「第二ブロックに含まれる６個の青色発光のＬＥＤに接続され」る「表示灯駆動回路１０１の端子１３」、
・「第三ブロックに含まれる６個の緑色発光のＬＥＤに接続され」る「表示灯駆動回路１０２の端子１８」、
・「第三ブロックに含まれる６個の赤色発光のＬＥＤに接続され」る「表示灯駆動回路１０２の端子１７」、
・「第三ブロックに含まれる６個の青色発光のＬＥＤに接続され」る「表示灯駆動回路１０２の端子１６」、
は、いずれも本願補正発明の構成Ｉの「複数の前記接続端子のうち前記発光手段を接続する各々の前記接続端子」に相当する。
　
　また、引用発明の構成（ｉ３）の「表示灯駆動回路１０１の端子１８」は、「第一ブロックに含まれる６個の緑色発光のＬＥＤに接続される」ものであり、同構成（ｉ２）によれば、「各ブロックにおいては、当該ブロックに属する６個のカラー用ＬＥＤに含まれる合計１８個のＬＥＤ（６個の赤色発光のＬＥＤ、６個の緑色発光のＬＥＤ、６個の青色発光のＬＥＤ）に対し、同じ発光色のＬＥＤ同士を接続し、各ブロックに属するそれぞれの発光色のＬＥＤについて、同じ組に属する二つの当該発光色のＬＥＤを直列に接続すると共に異なる組に属する当該発光色のＬＥＤを並列に接続」しているのだから、引用発明の構成ｉの「表示灯駆動回路１０１の端子１８」は、本願補正発明の構成Ｉと、「発光手段を接続する各々の前記接続端子には」、「発光手段が直列に接続されている」点で共通する。
同様に、
・引用発明の構成ｉの「表示灯駆動回路１０１の端子１８」は、本願補正発明の構成Ｉと、「発光手段を接続する各々の前記接続端子には」、「発光手段が直列に接続されている」点で共通し、
・引用発明の構成ｉの「表示灯駆動回路１０１の端子１７」は、本願補正発明の構成Ｉと、「発光手段を接続する各々の前記接続端子には」、「発光手段が直列に接続されている」点で共通し、
・引用発明の構成ｉの「表示灯駆動回路１０１の端子１６」は、本願補正発明の構成Ｉと、「発光手段を接続する各々の前記接続端子には」、「発光手段が直列に接続されている」点で共通し、
・引用発明の構成ｉの「表示灯駆動回路１０１の端子１５」は、本願補正発明の構成Ｉと、「発光手段を接続する各々の前記接続端子には」、「発光手段が直列に接続されている」点で共通し、
・引用発明の構成ｉの「表示灯駆動回路１０１の端子１４」は、本願補正発明の構成Ｉと、「発光手段を接続する各々の前記接続端子には」、「発光手段が直列に接続されている」点で共通し、
・引用発明の構成ｉの「表示灯駆動回路１０１の端子１３」は、本願補正発明の構成Ｉと、「発光手段を接続する各々の前記接続端子には」、「発光手段が直列に接続されている」点で共通し、
・引用発明の構成ｉの「表示灯駆動回路１０２の端子１８」は、本願補正発明の構成Ｉと、「発光手段を接続する各々の前記接続端子には」、「発光手段が直列に接続されている」点で共通し、
・引用発明の構成ｉの「表示灯駆動回路１０２の端子１７」は、本願補正発明の構成Ｉと、「発光手段を接続する各々の前記接続端子には」、「発光手段が直列に接続されている」点で共通し、
・引用発明の構成ｉの「表示灯駆動回路１０２の端子１６」は、本願補正発明の構成Ｉと、「発光手段を接続する各々の前記接続端子には」、「発光手段が直列に接続されている」点で共通するといえる。
　そして、引用発明の構成（ｉ３）における上記各端子に「直列に接続されている」ＬＥＤの数は、同構成ｉ２によればいずれも「二つ」であり、当該「二つ」の「直列に接続されている」「ＬＥＤ」は、本願補正発明の構成Ｉの「同数の前記発光手段が直列」に「接続されている」ことに相当する。
　
　してみると、引用発明における構成ｉは、本願補正発明における構成Ｉと、「複数の前記接続端子のうち前記発光手段を接続する各々の前記接続端子には、同数の前記発光手段が直列に接続されている」点で共通するといえる。
　
（ｊ）　引用発明の「遊技機」は本願補正発明の「遊技機」に相当する。
　引用発明の構成ｊは本願補正発明における構成Ｊに相当するものである。
　
　そうすると、上記（ａ）〜（ｊ）によれば、本願補正発明と引用発明との一致点及び相違点は以下のとおりである。
　
（一致点）
「Ａ　遊技を行う遊技機であって、
Ｂ′赤の光を発する第１発光素子と緑の光を発する第２発光素子と青の光を発する第３発光素子とが配置されている複数の発光手段と、
Ｃ　発光素子の種類に応じて直列に接続される抵抗素子と、
Ｄ　前記発光手段の発光を制御する発光制御手段とを備え、
Ｅ′前記発光手段は、実装され、
Ｆ　複数の前記発光手段は、１つの演出装置を構成する部材に対して発光を行い、
Ｈ　前記発光制御手段は、複数の前記発光手段を接続することができる複数の接続端子を有し、
Ｉ′複数の前記接続端子のうち前記発光手段を接続する各々の前記接続端子には、同数の前記発光手段が直列に接続されている、
Ｊ　遊技機。」
　
（相違点１）
　構成Ｂに関し、本願補正発明では、「赤の光を発する第１発光素子と緑の光を発する第２発光素子と青の光を発する第３発光素子とがそれぞれを頂点に三角形を形成するように配置されている」のに対し、引用発明では、赤の光を発する第１発光素子と緑の光を発する第２発光素子と青の光を発する第３発光素子とがそのように配置されているか不明である点。
　
（相違点２）
　構成Ｅに関し、本願補正発明では、発光手段は、「一の発光手段の発光素子の配置と他の発光手段の発光素子の配置とが同じとなるように実装され」ているのに対し、引用発明の発光手段は、「一の発光手段の発光素子の配置と他の発光手段の発光素子の配置とが同じとなるように実装され」ているか不明である点。
　
（相違点３）
　構成Ｇに関し、本願補正発明では、「演出装置を構成する部材」は可動するのに対し、引用発明の「演出装置を構成する部材」は可動しない点。
　
（相違点４）
　構成Ｉに関し、本願補正発明では、「複数の前記接続端子のうち前記発光手段を接続する各々の前記接続端子には、同数の前記発光手段が直列にのみ接続されている」のに対し、引用発明では、「複数の前記接続端子のうち前記発光手段を接続する各々の前記接続端子には、同数の前記発光手段が直列に接続されている」ものの「直列にのみ接続されている」ものではない点。
　
（４）判断
　上記相違点について検討する。
　
（相違点１及び２について）
　相違点１及び２は関連するので、合わせて検討する。
　赤の光を発する第１発光素子と緑の光を発する第２発光素子と青の光を発する第３発光素子とを配置する発光手段について、各色の光を発する発光素子をそれぞれを頂点に三角形を形成するように配置して構成することが、例えば特開２０１０−２５７６１５号公報（以下、引用文献２という）（特に、【００２６】の「色調発光部１０は、赤色ＬＥＤ１０ａ、緑色ＬＥＤ１０ｂおよび青色ＬＥＤ１０ｃを含み、所定の色調を可変的に呈するものである。」との記載や【００３０】の「色調発光部１０は、たとえば図２に示すように、複数設けられるとともに、所定のパターンで配列されることができる。」との記載と、図２において、赤色ＬＥＤ１０ａ、緑色ＬＥＤ１０ｂおよび青色ＬＥＤ１０ｃがそれぞれを頂点に三角形を形成するように配置された状態を参照。）や、特開２００１−５３３４１号公報（以下、引用文献３という）（特に、【００１５】の「各色１個ずつのＬＥＤランプＲ，Ｇ，Ｂが三角形をなすように互いに近接配置されて１つのランプ群１３を構成するとともに、こうしたランプ群１３の多数が所定間隔をおいて縦横に配列されるように、各ＬＥＤランプがプリント基板１２に装着されている。」との記載や、図４、図５、図７等を参照。）にもみられるように本願出願時において周知の技術である。この点を考慮すれば、引用発明において、発光手段を、赤の光を発する第１発光素子と緑の光を発する第２発光素子と青の光を発する第３発光素子とがそれぞれを頂点に三角形を形成するように配置して構成することは、当業者が適宜なしうる事項というべきである。
　
　さらに、ＬＥＤを発光させて部材に対して照明を行うにあたり、均一に照明をしようとすることは、当業者にとって当然の課題である（このことは、引用発明の構成ｅにおいて、「１８個のカラー用ＬＥＤ１〜１８」が、「発光体基板１００に等間隔で配列され」ていることからみても明らかである。）。
　さらに、赤の光を発する第１発光素子と緑の光を発する第２発光素子と青の光を発する第３発光素子とを用いた発光手段を複数用いて照明をする際に、一の発光手段の発光素子の配置と他の発光手段の発光素子の配置とが同じとなるように配置することは、当業者にとって当然の事項であり（引用文献３の図４のランプ群１３におけるＲＧＢの配置、および【００２５】の「図７は、本発明の別の実施形態に係る面発光表示器１ａを示している。この面発光表示器１ａでは、前記実施形態におけるＬＥＤランプＲ，Ｇ，Ｂに代えて、赤色，緑色，青色の各色での発光が可能な３色発光ＬＥＤランプ２５が用いられている。この３色発光ＬＥＤランプ２５は、１つの樹脂モールド２６内に、赤色ＬＥＤチップ，緑色ＬＥＤチップ，及び青色ＬＥＤチップ（不図示）が封入されている。・・・なお、その他の構成は前記面発光表示器１と同様である。」との記載を参照）、当該配置によって、より均一に発光がなされることは明らかなことである。
　してみれば、引用発明において、赤の光を発する第１発光素子と緑の光を発する第２発光素子と青の光を発する第３発光素子とがそれぞれを頂点に三角形を形成するように配置して発光手段を構成し、一の発光手段の発光素子の配置と他の発光手段の発光素子の配置とが同じとなるように実装することは、当業者が適宜なしうることというべきである。
　
（相違点３について）
　可動する演出用のパネルを前面に設けて、ＬＥＤで複数の色に照明することが、例えば特開２０１１−３０８７３（以下、引用文献４という）（特に、【００２０】の「表示枠体２１においてセット口２１ａの上方には、所定のキャラクタ（本実施形態では、「桜」）を模して形成され、所定動作による可動体演出を行う演出用可動体ＳＫが配設されている。演出用可動体ＳＫには、図示しないアクチュエータ（モータなど）が接続されており、可動体演出として、セット口２１ａより上方とされ遊技者から見て画像表示部ＧＨと前後方向に重ならない初期位置から、遊技者から見て画像表示部ＧＨと前後方向に重なる演出位置（図２において二点鎖線で示す位置）に移動可能に構成されている。また、演出用可動体ＳＫには、図示しない発光体（ＬＥＤなど）が内蔵されており、可動体演出中に「白色」、「青色」、「緑色」、及び「赤色」の何れかの発光色で発光可能に構成されている。」との記載や、図２等を参照。）や、特開２０１３−６３１４３号公報（以下、引用文献５という）（特に、【００６３】の「下部可動部６０２は、裏面側に配置される可動ベース部材６０４と、前面側に配置される装飾部材６０５と、により略矩形箱状をなしている。」との記載や、【００６５】の「可動ベース部材６０４は、・・・第１、第２基板収納部６０４ａ、・・・を有する略矩形状に形成されており、この第１基板収納部６０４ａには装飾部材６０５全体を発光させるためのユニット用ＬＥＤ基板６２２を収納し、」との記載、【００６６】の「ユニット用ＬＥＤ基板６２２は、発光源としてのＬＥＤ素子６２４が多数実装されて構成され、・・・また、ユニット用ＬＥＤ基板６２２に実装されるＬＥＤ素子６２４は、・・・フルカラー対応のものであっても良い。」との記載を参照。フルカラー対応のＬＥＤが複数色で使用しうるものであることは、当業者にとって明らかなことである。）にみられるように、従来より周知の事項である。そして、引用発明の表示パネル１４０と引用文献４や引用文献５にみられる当該周知の技術の演出用のパネルは、いずれもＬＥＤで前面のパネルを複数色で照明しうる点で共通するのだから、引用発明の表示パネルを可動する演出用のパネルとすることは、当業者が容易に想到することである。
　
（相違点４について）
　そもそも、照明のためにＬＥＤを配置するにあたり、その数をいくつとするかは、照明対象となる面積の大小に応じて決定することはもちろん、求められる輝度に応じてＬＥＤの密度を調整し、以てＬＥＤの数を決定することもまた、当業者にしてみれば常識である（引用文献１の［００７８］にも、「なお、発光体基板１００に搭載している３色発光のカラー用ＬＥＤの数は１８個に限定されるものではない。」と記載されている。）。
　一方、引用発明において、表示灯駆動回路１０１、１０２の端子（接続端子）に接続される電源を変更せずにＬＥＤの数を調整すべくその数を減じようとすれば、当該端子（接続端子）に並列に接続される、「二つの直列に接続されたＬＥＤ」ごとに外していくことは、当業者にとって普通の調整方法というべき範囲のものであって、その結果として、引用発明において、発光手段を接続する各々の接続端子に、同数の発光手段が
直列にのみ
　
　ちなみに、本願の明細書【０３０８】には、
「（２０）　上記実施の形態では、ＬＥＤドライバ３５２の１つの接続端子に接続する配線は分岐することがない構成を説明したが、これに限定されるものではない。例えば、図１４は、別の変形例の回路基板の構成を説明するための概略図である。図１４に示す回路基板１５０Ｘでは、ＬＥＤドライバ３５２の１つの接続端子Ａに接続する配線を３つ分岐し、それぞれの配線に制限抵抗の抵抗Ｒ１〜Ｒ３と、３個の白色ＬＥＤ１５０Ｆとを直列に接続している。つまり、図１４に示す回路基板１５０Ｘでは、抵抗Ｒ１〜Ｒ３および可動物ＬＥＤ１５１Ｘ，１５２Ｘ，１５３Ｘのそれぞれを
並列にＬＥＤドライバ３５２の１つの接続端子Ａに接続
これにより
１つの接続端子Ａにより多くのＬＥＤを接続することができ、設計の自由度が向上
と記載され、並列接続が、より多くのＬＥＤを接続するための設計であることは、審判請求人も認めることである。
　
　したがって、本願補正発明は、当業者が引用発明及び周知の技術に基づいて容易に想到することができたものである。
　
（５）　請求人の主張及び本願補正発明が奏する効果について 
　
ア　審判請求人は、審判請求書の「【本願発明が特許されるべき理由】 （３）拒絶理由について」の項において、
　引用文献１では、「図９に示すように、合計１８個の３色発光のカラー用ＬＥＤが等間隔で配置された発光体基板１００」（段落番号［００８０］参照）が、液晶表示装置に換えて配置される構成であることから、当該発光体基板が、単純な矩形状であることが前提であり、可動するような演出装置を想定しておらず、そのため、引用文献１では、発光体基板上に発光手段をマトリクス状に配置することしか開示されておらず、本願請求項１のような、
何らかの形状を有し、それが可動する
　
　しかし、そもそも本願補正発明における「演出装置」に関する構成は、
「Ｆ　複数の前記発光手段は、１つの
演出装置を構成する部材
Ｇ　前記
演出装置を構成する部材は可動
とのみしたものであって、演出装置はもちろん演出装置を構成する部材の形状を何ら特定しているわけでもないのだから、引用文献１において、発光体基板が矩形状であることや、発光体基板上に発光手段をマトリクス状に配置していることを以てただちに、引用発明の表示パネルを可動する演出用のパネルとし、本願補正発明の相違点３に係る構成とすることの阻害要因ということはできない。
　
　仮にそのようにいうことができないとしても、引用発明の表示パネルを可動する演出用のパネルとする際に、引用発明における「発光体基板１００」の形状を、演出用のパネルの形状を考慮した形状とし、その形状の範囲で発光手段を配置することは、当業者にとってみれば当然のことであって、引用文献１において、発光体基板が矩形状であることや、発光体基板上に発光手段をマトリクス状に配置していることが、引用発明の表示パネルを可動する演出用のパネルとして本願補正発明の相違点３に係る構成とすることの阻害要因であるなどということはできない。
　
　ちなみに、さらに仮にそのようにいうことができないとしても、演出装置を構成する可動する部材を矩形状として、演出装置を構成する可動する部材に対して発光する発光手段を、マトリクス状にかつ全体として略矩形状に配置することも、引用文献５（特に図５や【００６５】〜【００６６】における、略矩形状の装飾部材６０５と、略矩形状のＬＥＤ基板６２２にマトリクス状に配置されたＬＥＤ素子６２４を参照）にみられるように従来より周知の事項であることからみても、引用文献１において、発光体基板が矩形状であることや、発光体基板上に発光手段をマトリクス状に配置していることを以て、引用発明の表示パネルを可動する演出用のパネルとし、本願補正発明の相違点３に係る構成とすることの阻害要因ということはできない。
　
　してみると、審判請求人の上記主張は採用できないものである。
　
イ　また、審判請求人は、平成３０年２月８日に提出がなされた上申書において、
　本願請求項１では、「演出装置を構成する部材は可動」することを前提に、「前記発光手段は、一の発光手段の発光素子の配置と他の発光手段の発光素子の配置とが同じとなるように実装され」ており、仮に、一の発光手段の発光素子の配置と他の発光手段の発光素子の配置とが異なる場合、一の発光手段と他の発光手段との特定の発光素子（例えば、赤色の発光素子）同士が近くに配置されることとなり、一の発光手段の特定の発光素子と他の発光手段の特定の発光素子とが近接する部分において、基板上の他の部分より特定の発光素子の色味が強調されることになり、特に可動物として移動した場合には、特定の発光素子同士が近くに配置され色味が強調されている部分が可動物とともに移動し、特定の発光素子の色味が移動方向に沿って軌跡を描くことで残像により強調されて遊技者に大きな違和感を与える虞れがあり、そのため、本願請求項１では、「前記発光手段は、一の発光手段の発光素子の配置と他の発光手段の発光素子の配置とが同じとなるように実装され」ることを限定することで、特定の発光素子の色味が強調される部分を基板上からなくして、可動物とともに移動しても特定の発光素子の色味が移動方向に沿って軌跡を描き残像として強調されることをなくすことで、遊技者に大きな違和感を与える可能性を低減できる効果を有しているとの旨の主張をしている。
　
　しかし、上記（相違点１及び２について）にて説示のとおり、ＬＥＤを発光させて部材に対して照明を行うにあたり、均一に照明をしようとすることは、当業者にとって当然の課題であり、当該課題は、当該部材が可動するものであっても同じであることは明らかである。
　そして、引用発明において、赤の光を発する第１発光素子と緑の光を発する第２発光素子と青の光を発する第３発光素子とがそれぞれを頂点に三角形を形成するように配置して発光手段を構成し、均一な照明とするために一の発光手段の発光素子の配置と他の発光手段の発光素子の配置とが同じとなるように実装することは、当業者が適宜なしうることであり、引用発明の表示パネルを可動する演出用のパネルとする際にも、均一な照明とするために一の発光手段の発光素子の配置と他の発光手段の発光素子の配置とが同じとなるように実装することは、当業者が適宜なしうる範囲を出るものではない。
　
ウ　また、本願補正発明の作用効果は、当業者が引用発明、及び周知の技術から予測し得るものであって、格別のものということはできない。
　
（６）　まとめ
　以上のように、本願補正発明は、当業者が引用発明、及び周知の技術に基づいて容易に発明をすることができたものであるから、特許法第２９条第２項の規定により、特許出願の際独立して特許を受けることができない。
　
４　補正の却下の決定についてのむすび 
 　上記３　より、本件補正は、特許法第１７条の２第６項において準用する同法第１２６条第７項の規定に違反するので、同法第１５９条第１項において読み替えて準用する同法第５３条第１項の規定により却下すべきものである。 
  
　
第３　本願発明について 
１　本願発明 
　本件補正は上記のとおり却下されたので、本願の請求項１に係る発明（以下、「本願発明」という。）は、平成２９年５月３１日付け手続補正書の特許請求の範囲の請求項１に記載された次のとおりのものである（Ａ〜Ｊは本願発明を分説するため当審で付すとともに、分説した各構成のうち本願補正発明と同じ構成については、本願補正発明と同じ英文字を用いた。）。
　
（本願発明）
「【請求項１】
Ａ　遊技を行う遊技機であって、
Ｂ　赤の光を発する第１発光素子と緑の光を発する第２発光素子と青の光を発する第３発光素子とがそれぞれを頂点に三角形を形成するように配置されている複数の発光手段と、
Ｃ　発光素子の種類に応じて直列に接続される抵抗素子と、
Ｄ　前記発光手段の発光を制御する発光制御手段とを備え、
Ｅ　前記発光手段は、一の発光手段の発光素子の配置と他の発光手段の発光素子の配置とが同じとなるように実装され、
Ｆ　複数の前記発光手段は、１つの演出装置を構成する部材に対して発光を行い、
Ｈ　前記発光制御手段は、複数の前記発光手段を接続することができる複数の接続端子を有し、
Ｉ″複数の前記接続端子のうち前記発光手段を接続する各々の前記接続端子には、同数の前記発光手段が直列に接続されている、
Ｊ　遊技機。」
　
２　刊行物に記載された事項 
　これに対して、原査定の拒絶の理由に引用された上記引用文献１の記載事項、及び引用文献１に記載された発明（引用発明）については、上記「第２　３（２）」に示したとおりである。 
　
３　対比
　本願発明の構成Ａ〜Ｊのうち、Ａ〜Ｆ、Ｈ、Ｊは、本願補正発明の構成Ａ〜Ｆ、Ｈ、Ｊと一致しており、本願発明の構成Ａ〜Ｆ、Ｈ、Ｊと引用発明の構成ａ〜ｆ、ｈ、ｊとの対比は、上記「第２　３（３）」にて説示のとおりである。
　
　また、本願発明におけるその他の構成Ｉ″について、本願発明と引用発明とを対比すると、引用発明もまた、複数の前記接続端子のうち前記発光手段を接続する各々の前記接続端子には、同数の前記発光手段が直列に接続されているものであるから（第２　３（３）（ｉ）参照）、引用発明の構成ｉは、本願発明における構成Ｉ″に相当する構成を備えているものといえる。
　
　してみると、本願発明と引用発明との相違点は以下のとおりであり、その他の点においては両者は一致している。
　
（相違点１）
　構成Ｂに関し、本願発明では、「赤の光を発する第１発光素子と緑の光を発する第２発光素子と青の光を発する第３発光素子とがそれぞれを頂点に三角形を形成するように配置されている」のに対し、引用発明では、赤の光を発する第１発光素子と緑の光を発する第２発光素子と青の光を発する第３発光素子とがそのように配置されているか不明である点。
　
（相違点２）
　構成Ｅに関し、本願発明では、発光手段は、「一の発光手段の発光素子の配置と他の発光手段の発光素子の配置とが同じとなるように実装され」ているのに対し、引用発明の発光手段は、「一の発光手段の発光素子の配置と他の発光手段の発光素子の配置とが同じとなるように実装され」ているか不明である点。
　
４　判断
　上記相違点１、２についての判断は、上記「第２　３（４）」の（相違点１及び２について）にて説示のとおりであって、引用発明において、赤の光を発する第１発光素子と緑の光を発する第２発光素子と青の光を発する第３発光素子とがそれぞれを頂点に三角形を形成するように配置して発光手段を構成し、一の発光手段の発光素子の配置と他の発光手段の発光素子の配置とが同じとなるように実装することは、当業者が適宜なしうることというべきである。
　
５　むすび 
　以上のとおりであるから、本願発明は、特許法第２９条第２項の規定により特許を受けることができない。
　
　したがって、本願は、他の請求項について検討するまでもなく拒絶すべきものである。
　
　よって、結論のとおり審決する。